(57)【要約】【課題】インターネットのような情報通信ネットワーク上で電話通信を行う電話機やその利用者について、電話番号のような識別情報などに変更や廃止のような変動が生じるときに、容易かつ確実に他の利用者に変動を伝える。【解決手段】電話機３は、情報通信ネットワーク２を介する電話通信の際に、ネットワーク電話サービス手段１に発呼先の電話番号を通知する。ネットワーク電話番号サービス手段１は、電話帳２６を参照して、電話番号を情報通信ネットワーク２上のアドレスに変換し、発呼先に対する電話通信を中継する。電話帳２６の登録事項に変更や削除があれば、その情報をネットワーク電話サービス手段１が受付け、電話帳２６に反映させる。変動前の電話番号に対する発呼があれば、発呼元の電話機に対して、変動についての情報を送り、確実に変動を伝えることができる。変動について、情報を伝える相手を制限することもできる。【選択図】      図２
2004172984.tif 000002
【特許請求の範囲】
【請求項１】
情報通信ネットワークに接続されて予め識別情報が割当てられる複数の電話機間に、電話通信に関するサービスを提供する電話通信サービス方法であって、
情報通信ネットワークに接続され、電話通信サービスが提供される電話機について、その利用者と識別情報とを含むように予め定められる事項を登録しておき、
各電話機について登録事項の変動に関する情報を受付け、
受付けた情報に従って、該電話機について登録されている事項に変動を反映させるとともに、変動反映前の登録事項を保存し、
保存されている変動反映前の登録事項に含まれる電話機の識別情報に対する発呼を検出すると、発呼元の電話機に対して、変動を反映させた事項に関する情報を送信することを特徴とする電話通信サービス方法。
【請求項２】
前記受付ける登録事項の変動に関する情報には、変動についての情報を開示する相手の電話機の指定を含めることが可能であり、
前記変動反映前の登録事項の保存の際には、指定される相手の電話機の識別情報も保存し、
前記変動を反映させた事項に関する情報の送信を、前記発呼元の電話機の識別情報が指定される相手として保存されているときのみ行うことを特徴とする請求項１記載の電話通信サービス方法。
【請求項３】
情報通信ネットワークに接続されて予め識別情報が割当てられる複数の電話機間に、電話通信サービスを提供する電話通信システムであって、
情報通信ネットワークに接続され、電話通信サービスが提供される電話機について、その利用者と識別情報とを含むように予め定められる事項を登録する情報登録手段、およびその登録事項に関する情報を送受信する情報送受信手段を有する電話サービス手段を備え、
情報送受信手段は、電話機から該電話機について情報登録手段に登録されている事項の変動に関する情報を受付け、
情報登録手段は、情報送受信手段が受付けた情報に従って、該電話機について登録されている事項に変動を反映させるとともに、変動反映前の登録事項を保存し、
情報送受信手段は、情報登録手段に保存されている変動反映前の登録事項に含まれる電話機の識別情報に対する発呼を検出すると、発呼元の電話機に対して、情報登録手段で変動を反映させた事項に関する情報を送信し、
各電話機は、電話サービス手段の情報送受信手段から受信する情報に従って、発呼先の電話機について変動した情報を報知する情報報知手段を有することを特徴とする電話通信システム。
【請求項４】
前記情報送受信手段が受付ける登録事項の変動に関する情報には、変動についての情報を開示する相手の電話機の指定を含めることが可能であり、
前記情報登録手段には、指定される相手の電話機の識別情報も保存し、
情報送受信手段は、前記変動を反映させた事項に関する情報の送信を、前記発呼元の電話機の識別情報が指定される相手として情報登録手段に保存されているときのみ行うことを特徴とする請求項３記載の電話通信システム。
【請求項５】
情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
発呼時に、発呼先の電話機について変動を反映させた事項に関する情報が送信されるとき、該情報を受信する情報受信手段と、
情報受信手段によって受信される情報を報知する情報報知手段とを含むことを特徴とする電話機。
【請求項６】
情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
発呼時に、電話通信サービスで発呼先の電話機について変動を反映させた事項に関する情報が送信されるとき、該情報を受信して、情報記録手段の該電話機に関する記録事項に変動がある旨を記録する情報受信手段と、
発呼時に、発呼先の電話機に関する記録事項に変動がある旨が情報記録手段に記録されているか否かを判断し、変動がある旨が記録されているとき、その変動についての情報を報知する情報報知手段とを含むことを特徴とする電話機。
【請求項７】
情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
発呼時に、電話通信サービスで発呼先の電話機について変動を反映させた事項に関する情報が送信されるとき、該情報を受信して、情報記録手段の該電話機に関する記録事項に変動を反映させる情報受信手段を含むことを特徴とする電話機。
【請求項８】
前記情報受信手段によって、前記情報記録手段の該電話機に関する記録事項に変動を反映させると、記録事項に反映する変動についての情報を報知する情報報知手段をさらに含むことを特徴とする請求項７記載の電話機。
【請求項９】
前記情報報知手段は、前記情報受信手段が前記電話通信サービスで発呼先の電話機について変動を反映させた事項に関する情報を受信するときに、該情報の報知も行うことを特徴とする請求項６または８記載の電話機。
【請求項１０】
情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
自己の電話機について、電話通信サービスでの登録事項に変動があるとき、変動についての情報を開示する相手の電話機を、情報記録手段の記録事項に基づいて指定しながら、変動の通知を行う変動通知手段とを含むことを特徴とする電話機。
【請求項１１】
前記登録事項の変動は、電話機の識別情報の変更であることを特徴とする請求項５〜１０のいずれかに記載の電話機。
【請求項１２】
前記登録事項の変動は、電話機の識別情報の削除であることを特徴とする請求項５〜１０のいずれかに記載の電話機。
【発明の詳細な説明】
【０００１】
【発明の属する技術分野】
本発明は、インターネットなどの情報通信ネットワークを利用した電話通信サービス方法およびシステム、ならびに電話機に関する。
【０００２】
【従来の技術】
従来から、Ｐｕｂｌｉｃ  Ｓｗｉｔｃｈｅｄ  Ｔｅｌｅｐｈｏｎｅ  ＮｅｔｗｏｒｋからＰＳＴＮと呼ばれる公衆電話回線網を介して電話通信を行うための公衆電話サービスでは、各電話機はいずれかの交換局の交換機に加入者線を介して接続され、加入者線が接続される交換機に割当てられている電話番号のうちの１つがその電話機の電話番号として付与されている。引越しなどにより電話機の住所が変わる場合、一般に異なる交換機に接続されるので、その交換機に割当てられる電話号のうち使用していない電話番号が新たな電話番号として付与される。このように発呼先の電話番号が変更されているときに、発呼元の人がその電話番号を知る方法に関し、一般的な電話通信サービスでは、発呼先の電話番号が変更された際、変更前の電話番号に対して発呼すると、一定期間音声によるアナウンスで変更の通知が行われるようなサービスが提供されている。
【０００３】
近年、インターネット等の円滑な利用に必要な高速データ通信を、既設の加入者回線で可能にするため、ＤＳＬ（Ｄｉｇｉｔａｌ  Ｓｕｂｓｃｒｉｂｅｒ  Ｌｉｎｅ  ）技術が開発されている。ＡＤＳＬ（Ａｓｙｍｍｅｔｒｉｃ  ＤＳＬ）は、ＤＳＬ技術として実用化されている中でも代表的なものである。ＤＳＬ技術は、「ｘＤＳＬ」として包括的に表示され、スプリッタと呼ばれるフィルタで電話信号とデータ信号とを分離する。スプリッタで分離した電話信号を従来からの電話機などに接続すれば、従来の電話通信と全く同様に使用することができる。分離したデータ信号は、電話信号とは全く独立して利用することができる。すなわち、一般電話回線である従来の加入者回線にｘＤＳＬ技術を適用すれば、高速データ通信が可能なデジタル加入者線を比較的容易に実現することができる（たとえば、特許文献１参照）。
【０００４】
インターネットの利用は、インターネット経由で音声電話通信を行うことにも及んでいる。電話通信では、音声をデジタルデータのパケットに変換して、インターネットを利用して転送する。インターネット上でのデータ転送は、基本的に無料で行われるので、低コストの通信が可能になる。電話通信をインターネットを介して行うプロトコルとしては、ＶｏＩＰ（Ｖｏｉｃｅ  ｏｖｅｒ  Ｉｎｔｅｒｎｅｔ  Ｐｒｏｔｏｃｏｌ）が用いられる（たとえば特許文献２参照）。ＶｏＩＰを用いるインターネット経由の電話通信は、ＩＰアドレスと呼ばれるインターネット上のＩＰアドレスで相手を特定して行うことができる。しかしながらＩＰアドレスは、一般の電話利用者にとっては取扱い難く、またＶｏＩＰを用いる電話通信を行う利用者は、従来からＰＳＴＮ電話機も利用していることが多い。インターネット上ではＩＳＰ（Ｉｎｔｅｒｎｅｔ  Ｓｅｒｖｉｃｅ  Ｐｒｏｖｉｄｅｒ  ）と呼ばれる通信事業者のうちに、ＶｏＩＰを用いる電話通信が可能な電話機の利用者と契約し、ＰＳＴＮの電話番号をＩＰアドレスに変換して、電話番号で発呼先を指定する電話通信を可能にする電話サービスを提供する事業者が存在する。インターネット専用の電話番号を付与するサービスも提供される。
【０００５】
【特許文献１】
特開平１１−３０８３５２号公報
【特許文献２】
特開２００１−２３７８８８号公報
【０００６】
【発明が解決しようとする課題】
しかしながら、電話番号の変更について、一般電話サービスでは、音声によりアナウンスされるため、発呼元の人がメモを取らなければならず、また聞き間違えてしまう可能性もあり完全に伝わることが困難であるという問題を有している。また、変更前の電話番号に発呼した人に変更した電話番号が知らされてしまうため、いたずら電話やダイレクトコールなどの被害を避けるために電話番号を変えたとしても解決することが困難であるという問題を有している。
【０００７】
また、電話を解約した際にはこのアナウンスはなく、次にこの電話番号が別の人に割り振られた際、前使用者宛にかかってきた電話も受けることになり、次の使用者が前使用者の電話を受けずにいることが困難であるという問題を有している。
【０００８】
インターネットを経由する電話通信では、ＩＳＰによって種々のサービスの提供が可能であり、電話番号の変更についても前述の一般電話サービスと同等のサービスの提供が可能である。しかし、一般電話サービスと同等のサービスの提供では、前述のような問題を解決することができない。
【０００９】
本発明の目的は、インターネットのような情報通信ネットワーク上で電話通信を行う電話機やその利用者について、電話番号のような識別情報などに変更や廃止のような変動が生じるときに、容易かつ確実に他の利用者に変動を伝えることができる電話通信サービス方法およびシステム、ならびに電話機を提供することである。
【００１０】
【課題を解決するための手段】
本発明は、情報通信ネットワークに接続されて予め識別情報が割当てられる複数の電話機間に、電話通信に関するサービスを提供する電話通信サービス方法であって、
情報通信ネットワークに接続され、電話通信サービスが提供される電話機について、その利用者と識別情報とを含むように予め定められる事項を登録しておき、
各電話機について登録事項の変動に関する情報を受付け、
受付けた情報に従って、該電話機について登録されている事項に変動を反映させるとともに、変動反映前の登録事項を保存し、
保存されている変動反映前の登録事項に含まれる電話機の識別情報に対する発呼を検出すると、発呼元の電話機に対して、変動を反映させた事項に関する情報を送信することを特徴とする電話通信サービス方法である。
【００１１】
本発明に従えば、インターネットなどの情報通信ネットワークに接続される複数の電話機には、予め電話番号などの識別情報が割当てられ、相互間で識別情報に基づく電話通信が可能である。各電話機について、その利用者と識別情報とを含むように予め定められる事項を登録しておく。各電話機についての登録事項に変更や廃止のような変動があれば、変動に関する情報を受付けて、登録事項に反映させるとともに、変動前の登録事項も保存しておく。登録事項に変動があった電話機の識別情報に対する発呼を検出すると、発呼元の電話機に対して、変動を反映させた事項に関する情報を送信するので、識別情報などに変動が生じるときに、容易かつ確実に他の利用者に変動を伝えることができる。
【００１２】
また本発明は、前記受付ける登録事項の変動に関する情報には、変動についての情報を開示する相手の電話機の指定を含めることが可能であり、
前記変動反映前の登録事項の保存の際には、指定される相手の電話機の識別情報も保存し、
前記変動を反映させた事項に関する情報の送信を、前記発呼元の電話機の識別情報が指定される相手として保存されているときのみ行うことを特徴とする。
【００１３】
本発明に従えば、電話機の識別情報などの登録事項の変動に関する情報の受付けでは、その変動についての情報を開示する相手の電話機の指定を含めることが可能である。指定が含まれていると、変動反映前の登録事項の保存の際には、指定される相手の電話機の識別情報も保存しておく。変動を反映させた事項に関する情報の送信を、発呼元の電話機の識別情報が指定される相手として保存されているときのみ行うので、識別情報を変更していたずら電話やダイレクトコールなどの被害を避けるような場合でも、必要な相手には変更についての情報が確実に伝わるようにすることができる。
【００１４】
また本発明は、情報通信ネットワークに接続されて予め識別情報が割当てられる複数の電話機間に、電話通信サービスを提供する電話通信システムであって、
情報通信ネットワークに接続され、電話通信サービスが提供される電話機について、その利用者と識別情報とを含むように予め定められる事項を登録する情報登録手段、およびその登録事項に関する情報を送受信する情報送受信手段を有する電話サービス手段を備え、
情報送受信手段は、電話機から該電話機について情報登録手段に登録されている事項の変動に関する情報を受付け、
情報登録手段は、情報送受信手段が受付けた情報に従って、該電話機について登録されている事項に変動を反映させるとともに、変動反映前の登録事項を保存し、
情報送受信手段は、情報登録手段に保存されている変動反映前の登録事項に含まれる電話機の識別情報に対する発呼を検出すると、発呼元の電話機に対して、情報登録手段で変動を反映させた事項に関する情報を送信し、
各電話機は、電話サービス手段の情報送受信手段から受信する情報に従って、発呼先の電話機について変動した情報を報知する情報報知手段を有することを特徴とする電話通信システムである。
【００１５】
本発明に従えば、電話通信システムは、インターネットなどの情報通信ネットワークに接続されて予め電話番号などの識別情報が割当てられる複数の電話機間に、電話通信サービスを提供するために、各電話機について、その利用者と識別情報とを含むように予め定められる事項を登録する情報登録手段、およびその登録事項に関する情報を送受信する情報送受信手段を有する電話サービス手段を備える。情報送受信手段は、電話機からその電話機について情報登録手段に登録されている事項の変動に関する情報を受付ける。情報登録手段は、情報送受信手段が受付けた情報に従って、該電話機について登録されている事項に変動を反映させるとともに、変動反映前の登録事項を保存する。情報送受信手段は、情報登録手段に保存されている変動反映前の登録事項に含まれる電話機の識別情報に対する発呼を検出すると、発呼元の電話機に対して、情報登録手段で変動を反映させた事項に関する情報を送信するので、電話機についての登録事項に変動があれば、その電話機に対して発呼を行う電話機に確実に変動に関する情報を伝えることができる。各電話機は、電話サービス手段の情報送受信手段から受信する情報に従って、発呼先の電話機について変動した情報を報知する情報報知手段を有するので、たとえば識別情報に変動があれば、発呼先を変更して電話通信を行うことができる。
【００１６】
また本発明は、前記情報送受信手段が受付ける登録事項の変動に関する情報には、変動についての情報を開示する相手の電話機の指定を含めることが可能であり、
前記情報登録手段には、指定される相手の電話機の識別情報も保存し、
情報送受信手段は、前記変動を反映させた事項に関する情報の送信を、前記発呼元の電話機の識別情報が指定される相手として情報登録手段に保存されているときのみ行うことを特徴とする。
【００１７】
本発明に従えば、情報送受信手段は、電話機の識別情報などの登録事項の変動に関する情報の受付けで、その変動についての情報を開示する相手の電話機の指定を含めることが可能である。指定が含まれていると、情報登録手段への変動反映前の登録事項の保存の際には、指定される相手の電話機の識別情報も保存しておく。情報送受信手段は、変動を反映させた事項に関する情報の送信を、発呼元の電話機の識別情報が指定される相手として保存されているときのみ行うので、識別情報を変更していたずら電話やダイレクトコールなどの被害を避けるような場合でも、必要な相手には変更についての情報が確実に伝わるようにすることができる。
【００１８】
また本発明は、情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
発呼時に、発呼先の電話機について変動を反映させた事項に関する情報が送信されるとき、該情報を受信する情報受信手段と、
情報受信手段によって受信される情報を報知する情報報知手段とを含むことを特徴とする電話機である。
【００１９】
本発明に従えば、電話機は、複数の電話機相互間で、インターネットなどの情報通信ネットワークを介して電話通信を行うように、電話通信サービスの提供を受ける。電話通信サービスでは、各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報が送信される。電話機は、情報受信手段と情報報知手段とを含む。情報受信手段は、発呼時に、発呼先の電話機について変動を反映させた事項に関する情報が送信されるとき、その情報を受信するので、発呼先の電話機についての登録事項の変動に関する情報を確実に受信することができる。情報報知手段は、情報受信手段によって受信される情報を報知するので、発呼先の電話機についての登録事項の変動に関する情報を、発呼元の電話機の利用者に確実に伝えることができる。
【００２０】
また本発明は、情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
発呼時に、電話通信サービスで発呼先の電話機について変動を反映させた事項に関する情報が送信されるとき、該情報を受信して、情報記録手段の該電話機に関する記録事項に変動がある旨を記録する情報受信手段と、
発呼時に、発呼先の電話機に関する記録事項に変動がある旨が情報記録手段に記録されているか否かを判断し、変動がある旨が記録されているとき、その変動についての情報を報知する情報報知手段とを含むことを特徴とする電話機である。
【００２１】
本発明に従えば、電話機は、複数の電話機相互間で、インターネットなどの情報通信ネットワークを介して電話通信を行うように、電話通信サービスの提供を受ける。電話通信サービスでは、各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報が送信される。電話機は、情報記録手段と情報受信手段と情報報知手段とを含む。情報記録手段は、情報通信ネットワークを介して電話通信が可能な複数の電話機の少なくとも一部について、各電話機とその利用者との識別情報とを含むように予め定められる事項を記録し、記録されている事項を参照可能であり、電話帳などとして利用することができる。情報受信手段は、発呼時に、発呼先の電話機について変動を反映させた事項に関する情報が送信されるとき、その情報を受信して、情報記録手段の該電話機に関する記録事項に変動がある旨を記録するので、発呼先の電話機についての登録事項の変動がある旨を確実に記録することができる。情報報知手段は、発呼時に、発呼先の電話機に関する記録事項に変動がある旨が情報記録手段に記録されているか否かを判断し、変動がある旨が記録されているとき、その変動についての情報を報知するので、発呼先の電話機についての変動を、発呼元の電話機の利用者に確実に伝えることができる。
【００２２】
また本発明は、情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
発呼時に、電話通信サービスで発呼先の電話機について変動を反映させた事項に関する情報が送信されるとき、該情報を受信して、情報記録手段の該電話機に関する記録事項に変動を反映させる情報受信手段を含むことを特徴とする電話機である。
【００２３】
本発明に従えば、電話機は、複数の電話機相互間で、インターネットなどの情報通信ネットワークを介して電話通信を行うように、電話通信サービスの提供を受ける。電話通信サービスでは、各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報が送信される。電話機は、情報記録手段と情報受信手段とを含む。情報記録手段は、情報通信ネットワークを介して電話通信が可能な複数の電話機の少なくとも一部について、各電話機とその利用者との識別情報とを含むように予め定められる事項を記録し、記録されている事項を参照可能であり、電話帳などとして利用することができる。情報受信手段は、発呼時に、発呼先の電話機について変動を反映させた事項に関する情報が送信されるとき、その情報を受信して、その電話機に関する情報記録手段の記録事項に変動を反映させるので、記録事項を確実に変動に合わせることができる。
【００２４】
また本発明は、前記情報受信手段によって、前記情報記録手段の該電話機に関する記録事項に変動を反映させると、記録事項に反映する変動についての情報を報知する情報報知手段をさらに含むことを特徴とする。
【００２５】
本発明に従えば、情報報知手段は、情報受信手段によって情報記録手段の記録事項に変動を反映させると、その変動についての情報を報知するので、電話機の利用者に確実に伝えることができる。
【００２６】
また本発明は、前記情報報知手段は、前記情報受信手段が前記電話通信サービスで発呼先の電話機について変動を反映させた事項に関する情報を受信するときに、該情報の報知も行うことを特徴とする。
【００２７】
本発明に従えば、情報報知手段は、情報受信手段によって受信される情報を報知するので、発呼先の電話機についての登録事項の変動に関する情報を、電話機の利用者に確実に伝えることができる。
【００２８】
また本発明は、情報通信ネットワークを介して電話通信を行う複数の電話機について各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報を送信する電話通信サービスが提供される電話機であって、
該複数の電話機の少なくとも一部について、各電話機とその利用者との識別情報とを含むように予め定められる事項を記録し、記録されている事項を参照可能な情報記録手段と、
自己の電話機について、電話通信サービスでの登録事項に変動があるとき、変動についての情報を開示する相手の電話機を、情報記録手段の記録事項に基づいて指定しながら、変動の通知を行う変動通知手段とを含むことを特徴とする電話機である。
【００２９】
本発明に従えば、電話機は、複数の電話機相互間で、インターネットなどの情報通信ネットワークを介して電話通信を行うように、電話通信サービスの提供を受ける。電話通信サービスでは、各電話機とその利用者との識別情報とを含むように予め定められる事項を登録し、登録事項に変動があれば、変動反映前の登録事項に含まれる電話機の識別情報に対して発呼を行う電話機に対し、変動を反映させた事項に関する情報が送信される。電話機は、情報記録手段と変動通知手段とを含む。情報記録手段は、情報通信ネットワークを介して電話通信が可能な複数の電話機の少なくとも一部について、各電話機とその利用者との識別情報とを含むように予め定められる事項を記録し、記録されている事項を参照可能であり、電話帳などとして利用することができる。変動通知手段は、自己の電話機について、電話通信サービスでの登録事項に変動があるとき、変動についての情報を開示する相手の電話機を、情報記録手段の記録事項に基づいて指定しながら、変動の通知を行うので、変動を通知したい相手を容易に指定して確実に変動を伝えるようにすることができる。
【００３０】
また本発明は、前記登録事項の変動は、電話機の識別情報の変更であることを特徴とする。
【００３１】
本発明に従えば、電話番号などの電話機の識別情報の変更を、情報通信ネットワークを介して、変更があった電話機に対して発呼を行う他の電話機に確実に伝えることができる。
【００３２】
また本発明は、前記登録事項の変動は、電話機の識別情報の削除であることを特徴とする。
【００３３】
本発明に従えば、電話番号などの電話機の識別情報の削除を、情報通信ネットワークを介して、識別情報が削除された電話機に対して発呼を行う他の電話機に確実に伝えることができる。
【００３４】
【発明の実施の形態】
本発明による電話通信サービス方法およびシステム、ならびに電話機について、実施の一形態を図１〜図６に基づいて以下に説明する。
【００３５】
図１は、電話機を中心とした電話通信システムの概略的な構成を示す。ネットワーク電話サービス手段１は、インターネットなどの情報通信ネットワーク２を介して電話機３が電話通信を行うためのサービスを提供する。電話機３情報通信ネットワーク２との間は、通信回線４で接続される。通信回線４は、ＰＳＴＮの加入者線の本来の伝送帯域よりもブロードバンド化されて、高周波のデジタル信号を伝送することができるものを使用する。本実施形態では、加入者線をＡＤＳＬ技術でブロードバンド化して通信回線４として使用する。ＩＳＤＮ（
Ｉｎｔｅｇｒａｔｅｄ  Ｓｅｒｖｉｃｅｓ  Ｄｉｇｉｔａｌ  Ｎｅｔｗｏｒｋ  ）や、ＦＴＴＨ（Ｆｉｂｅｒ  Ｔｏ  Ｔｈｅ  Ｈｏｍｅ  ）、ＣＡＴＶ（ＣＡｂｌｅ  ＴｅｌｅＶｉｓｉｏｎ）などを使用することもできる。専用のデータ通信線で接続することもできる。
【００３６】
電話機３内には、回線インタフェース５、データ送受信部６、システム制御部７、および音声処理部８が含まれ、情報通信ネットワーク２で電話通信を行うための基本的な機能を分担している。音声処理部８には、音声入力回路９および音声出力回路１０が含まれる。音声入力回路９は、マイク１１から入力される電話機３の利用者の音声信号を電気的に増幅し、デジタルデータに変換する。音声出力回路１０は、電話通信で受信するデジタル信号を音声信号に変換し、スピーカ１２から電話機３の利用者に聞こえる音声として出力する。
【００３７】
システム制御部７は、電話機３の全体的な制御を行い、電話機３の利用者とのインタフェースのために、表示部１３と操作部１４とを制御する。表示部１３は、情報報知手段として、利用者に対して表示による情報の報知を行うことができる。電話帳１５は、情報記録手段として、情報通信ネットワーク２を介して電話通信を行う電話機に関し、電話番号などの識別情報や、その電話機の利用者や所有者などの個人情報が記録される。電話帳１５に記録されている情報は、発呼時などに参照可能であり、短縮番号や登録番号などの機能を設定したり、リストとして表示部１３に表示し、操作部１４の操作で選択して、電話番号の全部を入力しなくても、発呼を可能にする機能が設けられる。
【００３８】
また、電話機３は、通信回線４として利用するＰＳＴＮの加入者線にも接続されるので、ＰＳＴＮを利用して電話通信を行う機能も備えている。通信回線４には、ＰＳＴＮのアナログ電話信号と高周波のデジタル電話信号とが重畳される。アナログ電話信号とデジタル電話信号とを分離するために、スプリッタと呼ばれるフィルタが使用される。
【００３９】
一方、図２は、図１のネットワーク電話サービス手段１を中心とした電話通信システムの概略的な構成を示す。ネットワーク電話サービス手段１は、情報通信ネットワーク２上で電話通信を行うための各種サービスを提供するＩＳＰなどの通信事業者によって設置されるサーバ装置であり、データ送受信部２１、システム制御部２２、ＩＤ判定部２３、および情報記憶部２４を含む。情報記憶部２４には、電話通信サービスを提供するように契約した利用者の識別情報としてのＩＤ情報２５と、電話機に対して付与されているＰＳＴＮの電話番号と情報通信ネットワーク２上でのアドレスなどとの対応関係を記憶している電話帳２６とが登録される。
【００４０】
図３は、図１の電話機３が情報通信ネットワーク２を介して電話通信を行う全体的な環境を示す。情報通信ネットワーク２は、インターネット３０の一部を構成する。ネットワーク電話サービス手段１は、情報通信ネットワーク２に接続されるサーバ３１上に形成される。電話機３は、ＡＤＳＬでブロードバンド化した通信回線を介して、サーバに接続される。情報通信ネットワーク２には、ゲートウェイ３２なども設けられる。インターネット３０には、他にも多くの情報通信ネットワーク３３が含まれる。他の情報通信ネットワーク３３にもゲートウェイ３４などが設けられる。
【００４１】
電話機３は、ネットワーク電話サービス手段１から提供される電話通信サービスを利用して、他の電話機４０，４１と電話通信を行うことができる。前述のように、電話機３には、通信回線４として使用するＰＳＴＮの加入者線からＰＳＴＮ４５，４６，４７を介して、電話機４０，４８と電話通信を行うことができる。電話機４０は、電話機３と同様に、インターネット３０を介しても、ＰＳＴＮ４５，４６，４７を介しても電話通信が可能である。
【００４２】
通信回線４は交換機５０に接続される。交換機５０にもスプリッタが設けられ、高周波のデジタル信号は、ＢＡＳ（Ｂｒｏａｄｂａｎｄ  Ａｃｃｅｓｓ  Ｓｅｒｖｅｒ  ）などを介して情報通信ネットワーク２のサーバ３１に伝送される。スプリッタで分離される低周波のアナログ電話信号は、ＰＳＴＮ４５，４６，４７側を伝送される。電話機４０が接続される交換機５１は、情報通信ネットワーク３３のゲートウェイ３４とＰＳＴＮ４７とに接続先を切換えることができる。電話機４１は、交換機５２およびゲートウェイ３２を介してサーバ３１に接続される。電話機４８は、ＰＳＴＮ４６に接続される。図示を省略しているけれども、他にも多くの電話機が種々の接続形態でインターネット３０またはＰＳＴＮ４５，４６，４７を介して接続され、電話機３から電話番号で呼出し、電話通信を行うことができる。
【００４３】
ネットワーク電話サービス手段１の電話帳２６には、インターネット３０を介して相互に電話通信が可能な電話機３，４０，４１について、電話番号とインターネット３０上でのＩＰアドレスとの対応関係がデータベースとして登録されている。サーバ３１に接続される電話機３，４１が電話番号を指定して発呼を行うと、ネットワーク電話サービス手段１は、電話帳２６を参照して、電話番号をＩＰアドレスに変換し、発呼先を呼出し、相互間の電話通信の中継を行う。
【００４４】
図４は、図３の電話機３，４１をＡ，Ｂとしてそれぞれ示し、Ｂに電話番号変更があった場合の遷移のシーケンスを概略的に示す。電話機４１の構成は電話機３と同様であるとする。遷移１０１では、Ｂの電話機がネットワーク電話サービス手段１に対し、自電話番号の変更登録を行う。図１に示すような操作部１４より前電話番号とＩＤ、および新電話番号情報が入力され、システム制御部７を介して変動通知手段としてのデータ送受信部６へと渡される。ＩＤは、ネットワーク電話サービス手段１を利用するために、ＩＳＰなどから付与される識別情報である。この変更情報は回線インタフェース５、通信回線４から情報通信ネットワーク２へと送られ、ネットワーク電話サービス手段１に渡される。
【００４５】
遷移１０２では、図２に示すようなネットワーク電話サービス手段１において、情報送受信手段であるデータ送受信部２１で受信したデータがシステム制御部２２からＩＤ判定部２３でＩＤを判定され、ネットワークサービス手段１を利用することが可能な契約者からの変更情報であるか否かが確認される。ネットワーク電話サービス手段１は、ＩＤ確認後、情報登録手段である情報記憶部２４の電話帳２６を更新登録する。このとき、遷移１０１で相手のＩＤを付与していれば、情報開示相手を指定することができる。情報記憶部２６には、変更前の電話番号も保存しておく。なお、相手を指定する際には、電話帳１５を利用することができる。電話帳１５に記録されている電話番号の全部を自動的に指定したり、リスト表示して選択して指定するようにしてもよい。
【００４６】
Ａの電話機が遷移１０３で、電話帳１５を参照してＢの電話機に発呼すると、遷移１０４で、ネットワーク電話サービス手段１は、Ｂの電話機の前の電話番号を検出し、Ａの電話機に対して、遷移１０５で情報変更通知を送信する。Ａの電話機は、遷移１０６で、ネットワーク電話サービス手段１からの情報を情報受信手段としてのデータ送受信部６で受信すると、情報報知手段としての表示部１３でその内容を表示し、遷移１０７でＡの電話機の情報記録手段である電話帳１５の記録事項が更新される。次にＡの電話機がＢの電話機に発呼する際、更新された電話番号へ発呼することができる。この発呼の際に、電話番号が更新されていることを改めて表示部１３などに表示して、利用者の注意を促すように報知することもできる。また、電話帳１５の記録事項の更新は行わず、変更があった旨の報知のみを行うこともできる。
【００４７】
図５は、図４に示すような電話番号の変更ではなく、Ｂの電話機の登録を削除する場合の遷移のシーケンスを概略的に示す。遷移２０１では、Ｂの電話機がネットワーク電話サービス手段１に対し、自電話番号の削除登録を行う。操作部１４より前電話番号とＩＤとが入力され、システム制御部７を介してデータ送受信部６へと渡される。この削除情報は回線インタフェース５、通信回線４から情報通信ネットワーク２へと送られ、ネットワーク電話サービス手段１に渡される。遷移２０２で、ネットワーク電話サービス手段１において、データ送受信部２１で受信した削除情報は、システム制御部２２により、ＩＤ判定部２３にてＩＤを判定し、確認後情報記憶部２４の電話帳２６の登録事項を削除する。このとき、遷移２０１で相手のＩＤを付与していれば、情報開示相手を指定することができる。
【００４８】
遷移２０３でＡの電話機が電話帳１５を参照して、遷移２０４でＢの電話機に発呼すると、遷移２０５で、ネットワーク電話サービス手段１は、Ｂの電話機の前の電話番号を検出し、遷移２０６でＡの電話機に対して情報削除通知を送信する。Ａの電話機は、遷移２０７でネットワーク電話サービス手段１からの削除情報を受信するとその内容を表示部１３で表示し、遷移２０８で電話帳１５の記録内容が更新、すなわち削除される。ただし、前述のような電話番号の変更の場合と同様に、削除前の記録事項は保存される。サーバ３１が電話通信サービスを提供するように契約している電話機の全て、あるいは情報開示の指定がある場合は、その全部に対して削除情報が送信されると、ネットワーク電話サービス手段１は、遷移２０９で、Ｂの電話機に関する登録事項を、電話帳２６から完全削除する。Ａの電話機がＢの電話機に発呼する際、電話帳１５に保存している削除前の記録事項に基づいて、遷移２１０で、「削除されています」等の表示による報知が行われる。また、電話帳１５の記録事項の削除は行わず、電話番号の削除があった旨の報知のみを行うこともできる。
【００４９】
以上で説明しているように、本実施の形態では、電話をかけるときなどでネットワーク電話サービス手段１にアクセスした際、そのネットワーク電話サービス手段１から相手の所在を示す電話番号などの情報が恒久的に変更されている旨の応答を受信した場合、下記のように動作する。
（１）相手の所在を示す情報が変更された旨を表示する。
（２）再度その相手にネットワーク電話サービス１にて電話しようとした時に所在を示す情報が変更された旨を報知する。
（３）電話帳１５のその相手の内容に所在を示す情報が変更された旨の表示を行い、サーバ３１から受け取った情報に変更する。
【００５０】
また、電話をかけるときなどで、ネットワーク電話サービス手段１にアクセスした際、そのネットワーク電話サービス手段１から相手が恒久的に情報通信ネットワークサービスにて電話通信をおこなうことができなくなった旨の応答を受信した場合、下記のように動作する。
（１）ネットワークサービスにて電話できなくなった旨を表示する。
（２）再度その相手にネットワークサービスにて電話しようとした時に電話することできない旨を報知する。
（３）電話帳１５のその相手の内容にネットワークサービスにて電話できなくなった旨の表示し、電話帳１５からその相手の内容を削除する。
【００５１】
図６は、本発明の実施の他の形態として、インターネットに接続するサーバ６０に設けるネットワーク電話サービス手段６１によって提供するサービスを示す。ネットワーク電話サービス手段６１には、電話帳２６と同様に、電話機３，４１についての電話番号とＩＰアドレスとの対応関係の情報を登録してある電話帳６２が備えられる。サーバ６０を開設しているＩＳＰからサービスの提供を受ける利用者が、たとえば電話機３から電話機４１に対して発呼を行う際には、電話機４１の電話番号を指定して、▲１▼に示すようにサーバ６０のネットワーク電話サービス手段６１に問い合せる。ネットワーク電話サービス手段６１は、電話帳６２を参照し、指定された電話番号に対応するＩＰアドレスを、▲２▼に示すように返答する。電話機３は、返答されたＩＰアドレスに対して、▲３▼に示すように直接アクセスし、電話機４１を呼出す。▲４▼に示すように、電話機４１が電話機３に応答すると、電話通信が可能になる。
【００５２】
このようなサービス形態でも、電話機３，４１について、電話帳６２の登録事項に電話番号の変更や削除などの変動があれば、前述の実施形態と同様に、ネットワーク電話サービス手段６１に変動に関する情報を通知するだけで、登録事項に変動を反映させることができる。さらに、▲１▼に示すように、変動があった電話機に発呼するために電話番号を指定してＩＰアドレスの問い合せを行うと、▲２▼に示すようにＩＰアドレスを返答する際に、電話番号に変更や削除があればその情報を併せて通知することができる。ＩＰアドレスが削除されていれば、その旨を通知する。通知を受けた電話機では、通知された情報を報知したり、所持する電話帳の記録内容に反映させたりするので、変動の情報を確実に伝えることができる。
【００５３】
以上のように、本発明の実施により以下の効果がもたらされる。
本発明では、個人情報や電話番号情報に変更があった場合、その情報が音声ではなく発呼者の電話機に直接表示されるため、発呼者がメモを取る必要がなく、次に電話をかけたときに変更されたことが表示されるため、変更されたことを忘れて前の電話番号にかけてしまうことを防止することができる。
【００５４】
また、自動的に電話帳に記録されている情報が更新されるため、更新忘れによる間違い電話も防止することができる。電話番号情報を変更する利用者は、情報通信ネットワーク上のサーバに、変更情報を伝える電話番号などの識別情報を指定して、その確認をさせることで、いたずら電話やダイレクトコールなどの被害を避けるために電話番号を変えた場合も、連絡が必要な相手だけには電話番号を変更したことを知らせることができる。このように、ネットワーク電話サービス手段に登録された種々の事項に対して、登録者が開示相手を特定できるようにすることにより、利便性とプライバシーの保護などとが両立し、利用者の選択幅が大きく広がり、大きな効果が得られる。
【００５５】
また、個人情報や電話番号情報が削除された場合、発呼元の電話機に削除された旨が表示されるため、元の情報が削除されたことを忘れて電話をかけ直すということがなくなり、その電話番号が別の所有者のものになっても間違い電話をすることがない。
【００５６】
【発明の効果】
以上のように本発明によれば、インターネットなどの情報通信ネットワークに接続される複数の電話機は、その利用者と電話番号などの識別情報とを含むように予め定められる事項を登録しておく。各電話機についての登録事項に変更や廃止のような変動があれば、変動に関する情報を受付けて、登録事項に反映させるとともに、変動前の登録事項も保存しておく。登録事項に変動があった電話機に対して発呼が行われると、発呼元の電話機に対して、変動を反映させた事項に関する情報を送信するので、容易かつ確実に他の利用者に変動を伝えることができる。
【００５７】
また本発明によれば、電話機の識別情報などの登録事項の変動を指定した相手にのみ伝えることが可能であるので、識別情報を変更していたずら電話やダイレクトコールなどの被害を避けるような場合でも、必要な相手には変更についての情報が確実に伝わるようにすることができる。
【００５８】
また本発明によれば、各電話機について、その利用者と電話番号などの識別情報とを含むように予め定められる事項を登録する情報登録手段は、情報送受信手段が、電話機からその電話機について登録されている事項の変動に関する情報を受付けると、登録されている事項に変動を反映させるとともに、変動反映前の登録事項を保存する。情報送受信手段は、情報登録手段に保存されている変動反映前の登録事項に含まれる電話機の識別情報に対する発呼を検出すると、発呼元の電話機に対して、情報登録手段で変動を反映させた事項に関する情報を送信するので、各電話機は、発呼先の電話機について変動した情報を報知する情報報知手段を有するので、たとえば識別情報に変動があれば、発呼先を変更して電話通信を行うことができる。
【００５９】
また本発明によれば、電話機の識別情報などの登録事項の変動に関する情報の受付けで、その変動についての情報を開示する相手の電話機の指定を含めることが可能であり、変動を反映させた事項に関する情報を、指定される相手として保存されているときのみ行うので、識別情報を変更していたずら電話やダイレクトコールなどの被害を避けるような場合でも、必要な相手には変更についての情報が確実に伝わるようにすることができる。
【００６０】
また本発明によれば、インターネットなどの情報通信ネットワークを介して電話通信サービスの提供を受ける複数の電話機は、各電話機とその利用者との識別情報とを含むように予め定められる事項を登録しておく。電話機は、発呼先の電話機について登録事項に変動があれば、情報受信手段によって登録事項の変動に関する情報を確実に受信し、情報報知手段によって情報を報知するので、発呼先の電話機についての登録事項の変動に関する情報を、発呼元の電話機の利用者に確実に伝えることができる。
【００６１】
また本発明によれば、インターネットなどの情報通信ネットワークを介して電話通信サービスの提供を受ける複数の電話機は、各電話機とその利用者との識別情報とを含むように予め定められる事項を登録しておく。電話機は、情報記録手段によって、情報通信ネットワークを介して電話通信が可能な複数の電話機の少なくとも一部について、各電話機とその利用者との識別情報とを含むように予め定められる事項を記録し、電話帳などとして利用することができる。発呼先の電話機について登録事項に変動があれば、情報受信手段によって登録事項の変動に関する情報を確実に受信し、情報記録手段の該電話機に関する記録事項に変動がある旨を記録しておき、次の発呼時に、情報報知手段によってその変動についての情報を報知するので、発呼先の電話機についての変動を、発呼元の電話機の利用者に確実に伝えることができる。
【００６２】
また本発明によれば、インターネットなどの情報通信ネットワークを介して電話通信サービスの提供を受ける複数の電話機は、各電話機とその利用者との識別情報とを含むように予め定められる事項を登録しておく。電話機は、情報記録手段によって、情報通信ネットワークを介して電話通信が可能な複数の電話機の少なくとも一部について、各電話機とその利用者との識別情報とを含むように予め定められる事項を記録し、電話帳などとして利用することができる。発呼先の電話機について登録事項に変動があれば、情報受信手段によって登録事項の変動に関する情報を確実に受信し、その電話機に関する情報記録手段の記録事項に変動を反映させるので、記録事項を確実に変動に合わせることができる。
【００６３】
また本発明によれば、情報通信ネットワークを介する電話通信の相手となりうる電話機についての記録事項に変動を反映させると、その変動についての情報を報知するので、電話機の利用者に変動があったことを確実に伝えることができる。
【００６４】
また本発明によれば、発呼先の電話機についての登録事項の変動に関する情報を受信すると報知するので、電話機の利用者に確実に伝えることができる。
【００６５】
また本発明によれば、インターネットなどの情報通信ネットワークを介して電話通信サービスの提供を受ける複数の電話機は、各電話機とその利用者との識別情報とを含むように予め定められる事項を登録しておく。電話機は、情報記録手段によって、情報通信ネットワークを介して電話通信が可能な複数の電話機の少なくとも一部について、各電話機とその利用者との識別情報とを含むように予め定められる事項を記録し、電話帳などとして利用することができる。自己の電話機について、電話通信サービスでの登録事項に変動があるとき、変動についての情報を開示する相手の電話機を、情報記録手段の記録事項に基づいて指定しながら、変動の通知を行うので、変動を通知したい相手を容易に指定して確実に変動を伝えるようにすることができる。
【００６６】
また本発明によれば、電話番号などの識別情報の変更があった電話機に対して発呼を行う際に、変更についての情報が確実に伝えられる。
【００６７】
また本発明によれば、電話番号などの電話機の識別情報が削除された電話機に対して発呼を行う際に、削除についての情報が確実に伝えられる。
【図面の簡単な説明】
【図１】本発明の実施の一形態による電話通信システムの概略的な構成を、電話機３側を中心として示すブロック図である。
【図２】図１の電話通信システムの概略的な構成を、ネットワーク電話サービス手段１側を中心として示すブロック図である。
【図３】図１の電話通信システムの全体的な環境を、簡略化して示すブロック図である。
【図４】図１および図２の電話通信システムで、電話番号の変更がある場合の状態遷移図である。
【図５】図１および図２の電話通信システムで、電話番号の削除がある場合の状態遷移図である。
【図６】本発明の実施の他の形態による電話通信システムの概略的な構成を示すブロック図である。
【符号の説明】
１，６１  ネットワーク電話サービス手段
２，３３  情報通信ネットワーク
３，４０，４１，４８  電話機
４  通信回線
６，２１  データ送受信部
７，２２  システム制御部
８  音声処理部
１３  表示部
１４  操作部
１５，２６，６２  電話帳
２４  情報記憶部
３０  インターネット
３１，６０  サーバ
【図１】
2004172984.tif 000003
【図２】
2004172984.tif 000004
【図３】
2004172984.tif 000005
【図４】
2004172984.tif 000006
【図５】
2004172984.tif 000007
【図６】
2004172984.tif 000008